(57)【要約】【課題】  セキュリティモードを解除して通常動作モードに移行させるためのセキュリティコードの入力を容易にする。【解決手段】  表示機器１は、セキュリティモードに設定されたオーディオ機器３などの他の機器から操作内容を受信し、受信した操作内容がセキュリティコードの入力情報であるか又は操作終了情報であるかを識別して、操作内容がセキュリティコードの入力情報であると識別したときは、受信した操作内容をコード情報に変換し、変換されたコード情報を表示部１４に表示させ、操作内容が操作終了情報であると識別したときは、変換したコード情報を他の機器に送信する。【選択図】        図２
2005149017.tif 000002
【特許請求の範囲】
【請求項１】
表示手段を有する特定の機器と表示手段を有しない少なくとも１つの他の機器との間を通信回線で接続して情報を送受信して前記他の機器の表示情報を前記表示手段に表示する車載用機器のセキュリティシステムであって、
前記特定の機器は、
セキュリティモードに設定された他の機器から操作内容を受信する受信手段と、
前記受信手段によって受信された操作内容がセキュリティコードの入力情報であるか又は操作終了情報であるかを識別する情報識別手段と、
前記情報識別手段によって前記操作内容がセキュリティコードの入力情報であると識別されたときは前記操作内容をコード情報に変換する情報変換手段と、
前記情報変換手段によって変換されたコード情報を表示手段に表示させる表示制御手段と、
前記情報識別手段によって操作内容が操作終了情報であると識別されたときは前記情報変換手段によって変換されたコード情報を前記他の機器に送信する送信手段と
を備えたことを特徴とする車載用機器のセキュリティシステム。
【請求項２】
情報変換手段は、受信手段によって受信された操作内容が情報識別手段によってセキュリティコードの入力情報と識別された場合には、前記操作内容が示す送信元の機器の種別、操作された操作手段の操作子の種別およびその操作回数に応じてコード情報に変換することを特徴とする請求項１記載の車載用機器のセキュリティシステム。
【請求項３】
各機器の種別並びに各機器の操作手段における操作子の情報をコード入力およびコード照合の情報に変換するテーブルを記憶する書き換え可能な不揮発性の記憶手段をさらに備え、情報変換手段は、前記テーブルを参照して受信手段によって受信された操作内容をコード情報に変換することを特徴とする請求項２記載の車載用機器のセキュリティシステム。
【請求項４】
他の機器の各々は、
操作手段と、
起動時のセキュリティモードを設定するモード設定手段と、
前記セキュリティモードにおいて前記操作手段が操作されたときは操作内容を前記特定の機器に送信する送信手段と、
前記操作内容の送信後に前記特定の機器からコード情報を受信する受信手段と、
前記受信手段によって受信されたコード情報と所定の記憶手段に記憶されているコード情報とを照合して２つのコード情報が一致する場合には前記セキュリティモードから通常の動作モードに遷移させる情報照合手段と
を備えたことを特徴とする請求項１記載の車載用機器のセキュリティシステム。
【発明の詳細な説明】
【技術分野】
【０００１】
この発明は、車載用機器のセキュリティシステムに関するものである。
【背景技術】
【０００２】
車載用機器のセキュリティシステムに関して、いくつかの提案がなされている。ある提案においては、ユーザが暗証番号（すなわち、セキュリティコード）を記憶するための専用のＥＥＰＲＯＭを不要にしてコストダウンを図ることを目的としている。この提案によれば、記憶媒体を再生するオーディオ機器の盗難を防止するために、記憶媒体がオーディオ機器内に装填されていることを検知する検知手段と、オーディオ機器が電源から切断された後再び接続された時、記憶媒体が装填されていることが検知手段により（検知）された時、オーディオ機器を使用不能状態にするセキュリティ動作手段と、セキュリティ動作手段により使用不能状態となっているオーディオ機器を、使用可能とするセキュリティ解除手段を備えている（例えば、特許文献１参照）。
【０００３】
また、別の提案においては、車載用オーディオ機器の取りはずし時に盗難防止システムが働き、再度取り付けた時そのオーディオ機器に所定のコード（すなわち、セキュリティコード）を入力することが必要なシステムで、オーナー自身がその所定のコードを忘れていても、正常動作に復帰できることを目的としている。この提案によれば、異常検出用センサーとサイレンとを有し、リモコンによりアーミング（警告）動作の開始、停止を可能とした盗難防止装置と、電源投入時に所定のコードを入力することにより正常動作を可能としたオーディオ機器とから成り、リモコンにより盗難防止装置を介して所定のコードを入力する構成になっている。
【０００４】
【特許文献１】特開平１０−２７２８７号公報（段落番号「０００６」）
【特許文献２】特開平３−１８６４４５号公報（第１頁右欄第１２ないし１８行）
【発明の開示】
【発明が解決しようとする課題】
【０００５】
しかしながら、表示部を有しないオーディオ機器、ナビゲーション機器、エアコン機器、通信機器、映像機器などの車載用の異なる種別からなる複数の機器と表示機器とを通信回線で接続して、各機器の表示情報を表示機器に表示させる車載用機器のシステムにおいては、記憶媒体を再生しない機器やリモコンで操作できない機器もあるように、各機器の操作仕様が異なっているので、セキュリティモードを解除して通常動作モードに移行させるためには、個々の機器ごとにセキュリティコードを入力する必要があり、セキュリティコードの入力が煩雑であるという課題があった。
【０００６】
この発明は上記のような課題を解決するためになされたもので、第１の目的は、表示部を有しない異なる種別からなる複数の機器の表示情報を通信回路で接続された表示機器に表示する車載機器のシステムにおいて、各機器の操作仕様の相違にかかわらず、セキュリティモードを解除して通常動作モードに移行させるためのセキュリティコードの入力が容易な車載用機器のセキュリティシステムを得るものである。
【課題を解決するための手段】
【０００７】
この発明に係る車載用機器のセキュリティシステムにおける特定の機器は、セキュリティモードに設定された他の機器から操作内容を受信する受信手段と、受信手段によって受信された操作内容がセキュリティコードの入力情報であるか又は操作終了情報であるかを識別する情報識別手段と、情報識別手段によって操作内容がセキュリティコードの入力情報であると識別されたときは操作内容をコード情報に変換する情報変換手段と、情報変換手段によって変換されたコード情報を表示手段に表示させる表示制御手段と、情報識別手段によって操作内容が操作終了情報であると識別されたときは情報変換手段によって変換されたコード情報を他の機器に送信する送信手段とを備えたものである。
【発明の効果】
【０００８】
この発明は、車載用機器のセキュリティシステムの表示機器を、セキュリティモードに設定された他の機器から操作内容を受信する受信手段と、受信手段によって受信された操作内容がセキュリティコードの入力情報であるか又は操作終了情報であるかを識別する情報識別手段と、情報識別手段によって操作内容がセキュリティコードの入力情報であると識別されたときは操作内容をコード情報に変換する情報変換手段と、情報変換手段によって変換されたコード情報を表示手段に表示させる表示制御手段と、情報識別手段によって操作内容が操作終了情報であると識別されたときは情報変換手段によって変換されたコード情報を他の機器に送信する送信手段とを備えた構成にしたので、表示手段を有しない異なる種別からなる複数の機器の表示情報を通信回線で接続された表示機器に表示する車載機器のシステムにおいて、各機器の操作仕様の相違にかかわらず、セキュリティモードを解除して通常動作モードに移行させるためのセキュリティコードの入力が容易になるという効果がある。
【発明を実施するための最良の形態】
【０００９】
以下、この発明による車載用機器のセキュリティシステムの一実施の形態の構成について、図を参照しながら説明する。
実施の形態１．
図１は、実施の形態１における車載用機器のセキュリティシステムの構成を示すブロック図である。表示機器（特定の機器）１は、バス（通信回線）２を介して、オーディオ機器３、ナビゲーション機器４、エアコン機器５、通信機器（他の機器）６、映像機器７に接続されている。表示機器１は、バス２を介して受信する各機器からの表示情報を統括して表示する。表示機器１以外の各機器は、比較的に着脱が容易であり、機器の変更、新たな機器の追加を可能にすることにより、ユーザが所望するシステムを柔軟に構築することができる。その反面、盗難に遭うおそれがあるため、各機器ごとのセキュリティ対策が必要になる。
【００１０】
各機器は、取り外されて再び装着されて電源スイッチがオンになったときは、セキュリティモードに設定される。すなわち、修理やその他の理由によって、ユーザ自らが機器を取り外して再装着した場合でも、その機器は電源投入の起動時にはセキュリティモードに設定される。この場合には、ユーザはその機器の操作部からセキュリティコードを入力することによって、セキュリティモードから通常モードに遷移させることができる。
【００１１】
以下、他の機器としてオーディオ機器３を例に採って、実施の形態１における車載用機器のセキュリティシステムについて説明する。図２は、バス２によって接続された表示機器１の内部構成およびオーディオ機器３の内部構成を示す図である。表示機器１は、内部バス１０を介して、ＣＰＵ（情報識別手段、情報変換手段、表示制御手段）１１、書き換え可能な不揮発性のフラッシュメモリなどからなるＲＯＭ（記憶手段）１２、ＲＡＭ１３、表示部（表示手段）１４、通信Ｉ／Ｆ（インタフェース；受信手段、送信手段）１５がバス１０を介して相互に接続されている。ＣＰＵ１１は、バス１０を介してこれら各部を制御する。
【００１２】
一方、オーディオ機器３は、内部バス３０を介して、ＣＰＵ（モード設定手段、情報照合手段）３１、ＲＯＭ（記憶手段）３２、ＲＡＭ３３、操作部（操作手段）３４、通信Ｉ／Ｆ（受信手段、送信手段）３５、ＣＤＤ（ＣＤ駆動部）３６、ＭＤＤ（ＭＤ駆動部）３７、チューナ部３８がバス３０を介して相互に接続されている。図には示していないが、操作部３４には、電源スイッチ、音量調整キー、ＡＭバンドキー、ＦＭバンドキー、ＣＨ１，ＣＨ２，ＣＨ３，ＣＨ４，・・・ＣＨｎからなるチャンネルキー、ＣＤキー、ＭＤキーなどの複数のキー（操作子）が設けられている。なお、例えば、チャンネルキーは、１回目の操作で“０”、２回目の操作で“１”というように、その操作回数に応じて０、１、２・・・９が入力されるようになっている。
【００１３】
図３は、セキュリティモードにおける表示機器１とオーディオ機器３との間のコマンドおよびデータの送受信であるバス通信のシーケンスを示す図である。オーディオ機器３から照合動作開始宣言すなわち照合動作開始コマンドが送信される。表示機器１は、この照合動作開始コマンドを受信すると、“ＣＯＤＥ”の入力を促す表示を行う。この場合のコードは４桁の整数の数列である。最初は、４桁のバー「−」が表示されている。
【００１４】
次に、オーディオ機器３において操作部３４のＣＨ１キー操作されると、操作内容として“ＣＨ１”キー操作情報通知がオーディオ機器３から表示機器１に送信される。表示機器１は、この“ＣＨ１”キー操作情報通知を受信すると、コード入力キーを受信したと解釈して“ＣＨ１”キーが２回操作されていると、“１―――”を表示する。次に、“ＣＨ２”キー操作情報通知がオーディオ機器３から表示機器１に送信されると、“ＣＨ２”キーの操作が２回目であると、表示機器１は“１１――”を表示する。次に、同じＣＨ２が操作されて再び“ＣＨ２”キー操作情報通知がオーディオ機器３から表示機器１に送信されると、“ＣＨ２”キーの操作が３回目であると、表示機器１は“１２――”を表示する。
【００１５】
以下同様に、ＣＨ１キーないしＣＨ４キーの操作に応じて、キー操作情報通知が操作内容として表示機器１に送信されて、表示機器１のコード表示がなされる。例えば、ＣＨ１キーが２回、ＣＨ２キーが４回、ＣＨ３キーが７回、ＣＨ４キーが３回操作された場合には、表示機器１には“１３６２”と表示される。この後に、オーディオ機器３においてＣＤキーが操作されたときは、“ＣＤ”キー操作情報通知が操作内容として表示機器１に送信される。表示機器１は、この“ＣＤ”キー操作情報通知を受信すると、コード照合キーを受信したと解釈して、そのとき表示されているコード表示データ“１３６２”をコード情報としてオーディオ機器３に送信する。オーディオ機器３は、このコード情報を受信すると、ＲＯＭ３２に記憶されているセキュリティコードのコード情報と照合する。照合がＯＫの場合には、通常動作モードすなわちオーディオ動作モードに遷移するとともに、“オーディオ動作”の表示データを表示機器１に送信する。表示機器１は、“オーディオ動作”の文字を表示する。この後は、オーディオ機器３に関する通常の表示を行う。
【００１６】
このように、オーディオ機器１は、操作部３４のＣＨキーが操作されたときは、その操作内容については判別することなく、通信Ｉ／Ｆ３５を介して、そのまま操作情報通知のデータを操作内容として表示機器１に送信する。表示機器１は、受信した操作情報通知のデータの操作内容を解釈して、その解釈結果に基づく表示データを表示部１４に表示する。そして、ＣＤキーの操作情報通知を受信したときは、それをコード照合キーであると解釈して、そのときの表示データをコード情報として、通信Ｉ／Ｆ１５を介してオーディオ機器３に送信する。
【００１７】
次に、オーディオ機器３の動作について説明する。図４は、オーディオ機器３におけるＣＰＵ３１の動作フローチャートである。電源スイッチがオンされたときは、通常の起動であるかセキュリティの起動であるかを判別する。すなわち、セキュリティモードであるか否かを判別する（ステップＳＴ１０１）。セキュリティモードである場合には、照合動作開始コマンドを送信する（ステップＳＴ１０２）。次に、操作部３４のＣＨｉ（ｉ＝１〜４）キーがオンされたか否かを判別し（ステップＳＴ１０３）、ＣＨｉキーがオンされたときは、ＣＨｉキー操作情報通知を送信する（ステップＳＴ１０４）。この後、ＣＤキーがオンされたか否かを判別する（ステップＳＴ１０５）。ＣＤキーがオンでない場合には、ステップＳＴ１０３に移行して、ＣＨｉキーがオンされたか否かを判別する。ＣＤキーがオンされたときは、ＣＤキー操作情報通知を送信する（ステップＳＴ１０６）。
【００１８】
次に、コード情報を受信したか否かを判別し（ステップＳＴ１０７）、コード情報を受信したときは、ＲＯＭ３２に記憶されているコード情報すなわちセキュリティコードを読み出し（ステップＳＴ１０８）、両者のコード情報が一致しているか否かを判別する（ステップＳＴ１０９）。コード情報が不一致である場合には、その不一致の回数が所定回数（例えば、２回）を超えたか否かを判別し（ステップＳＴ１１０）、所定回数以下である場合には、ステップＳＴ１０３に移行して、ＣＨｉキーがオンされたか否かを判別する。この場合に、エラー表示データを表示機器１に送信して、表示部１４にエラーを表示するようにしてもよい。一方、コード情報の不一致の回数が所定回数を超えたときは、全ての動作を停止して、操作不可状態になる。
【００１９】
ステップＳＴ１０９において、コード情報が一致している場合には、通常動作モードを設定して（ステップＳＴ１１１）、ユーザの操作に応じて通常のオーディオ処理を行う（ステップＳＴ１１２）。また、ステップＳＴ１０１において、セキュリティモードでない場合、すなわち、通常動作モードである場合には、ユーザの操作に応じて通常のオーディオ処理を行う（ステップＳＴ１１２）。
【００２０】
次に、表示機器１の動作について説明する。図５は、表示機器１におけるＣＰＵ１１の動作フローチャートである。通信Ｉ／Ｆ１５を介して照合動作開始コマンドを受信したか否かを判別し（ステップＳＴ２０１）、受信したときは、送信元の機器種別を判定する（ステップＳＴ２０２）。この場合には、オーディオ機器３であることを判定する。次に、表示部１４に“ＣＯＤＥ”の文字を表示し（ステップＳＴ２０３）、４桁のバー「−」を表示する（ステップＳＴ２０４）。また、ＲＡＭ１３のレジスタＮ（１）〜Ｎ（４）に「０」をストアする（ステップＳＴ２０５）。
【００２１】
この後、ＣＨｉ（ｉ＝１〜４）キー操作情報通知を受信したか否かを判別する（ステップＳＴ２０６）。受信したときは、ｉの値に対応するレジスタＮ（ｉ）の値を「１」だけインクリメントする（ステップＳＴ２０７）。この場合において、インクリメントしたＮ（ｉ）の値が「１０」になった場合には、Ｎ（ｉ）の値を「０」にする。次に、表示部１４においてｉ番目の桁にＮ（ｉ）の値を表示する（ステップＳＴ２０８）。
【００２２】
この後、ＣＤキー操作情報通知を受信したか否かを判別し（ステップＳＴ２０９）、受信しない場合には、ステップＳＴ２０６に移行して、ＣＨｉキー操作情報通知を受信したか否かを判別する。ＣＤキー操作情報通知を受信したときは、ＲＡＭ１３のレジスタＮ（１）〜Ｎ（４）の値であるコード情報をオーディオ機器３に送信する（ステップＳＴ２１０）。この後、表示データを受信したか否かを判別し（ステップＳＴ２１１）、受信したときは、通常の表示処理を行う（ステップＳＴ２１２）。ステップＳＴ２０１において、照合動作開始コマンドを受信しない場合には、表示データを受信したか否かを判別し（ステップＳＴ２１１）、受信したときは、通常の表示処理を行う（ステップＳＴ２１２）。
【００２３】
図６は、オーディオ機器３、ナビゲーション機器４、エアコン機器５、通信機器６、映像機器７の種別、および各機器における操作部の各操作子すなわち各キーと、コード入力の桁番号およびコード照合との対応関係を表すテーブルを示す図である。このテーブルは、表示機器１のＲＯＭ１２に格納されている。各機器の操作仕様はそれぞれ異なっているが、ユーザの操作手順は同じである。
【００２４】
例えば、ナビゲーション機器４の操作部において、“経路探索”キーを１回、“目的地設定”キーを３回、“現在地”キーを６回、“再探索”キーを２回操作すると、表示機器１の表示部１４には“１３６２”のコード情報が表示される。この後、“決定”キーを操作すると、オーディオ機器３の場合と同様に、“１３６２”のコード情報が表示機器１からナビゲーション機器４に送信される。
【００２５】
また、例えば、エアコン機器５の操作部において、“風向”キーを１回、“風量”キーを３回、“温度アップ”キーを６回、“温度ダウン”キーを２回操作すると、表示機器１の表示部１４には“１３６２”のコード情報が表示される。この後、“ＤＥＦ”キーを操作すると、オーディオ機器３の場合と同様に、“１３６２”のコード情報が表示機器１からエアコン機器５に送信される。
【００２６】
通信機器６の場合には、操作部の“ダイヤル番号”キーおよび“＃”キーを操作することにより、コード情報が表示機器１から通信機器６に送信され、映像機器７の場合には、操作部の“チャンネル”キーおよび“消音”キーを操作することにより、コード情報が表示機器１から映像機器７に送信される。
【００２７】
以上のように、この実施の形態１によれば、表示機器１は、セキュリティモードに設定された他の機器から操作内容を受信し、受信した操作内容がセキュリティコードの入力情報であるか又は操作終了情報であるかを識別して、操作内容がセキュリティコードの入力情報であると識別したときは、受信した操作内容をコード情報に変換し、変換されたコード情報を表示部１４に表示させ、操作内容が操作終了情報であると識別したときは、変換したコード情報を他の機器に送信するので、表示部を有しない異なる種別からなる複数の機器３〜７の表示情報をバス２で接続された表示機器１に表示する車載機器のシステムにおいて、各機器の操作仕様の相違にかかわらず、セキュリティモードを解除して通常動作モードに移行させるためのセキュリティコードの入力が容易になるという効果がある。
【００２８】
また、この実施の形態１によれば、表示機器１のＣＰＵ１１は、通信Ｉ／Ｆ１５によって受信された操作内容がセキュリティコードの入力情報と識別された場合には、操作内容が示す送信元の機器の種別、操作されたキーの種別およびその操作回数に応じてコード情報に変換するので、ユーザは機器の種別を意識することなく、同じ手順でセキュリティコードを入力できるという効果がある。
【００２９】
また、この実施の形態１によれば、表示機器１は、各機器３〜７の種別並びに各機器の操作部におけるキーの情報をコード入力およびコード照合の情報に変換するテーブルを記憶するＲＯＭ１２を備え、ＣＰＵ１１は、そのテーブルを参照して通信Ｉ／Ｆ１５によって受信された操作内容をコード情報に変換するので、各機器３〜７の仕様が変更された場合や新規の機器が追加された場合でも、ＲＯＭ１２のテーブルを書き換えるだけで対応できるという効果がある。
【００３０】
また、この実施の形態１によれば、他の機器３〜７の各々、例えば、オーディオ機器３は、操作部３４と、起動時のセキュリティモードにおいて、操作部３４が操作されたときは、操作内容を表示機器１に送信し、操作内容の送信後に表示機器１からコード情報を受信する通信Ｉ／Ｆ３５と、通信Ｉ／Ｆ３５によって受信されたコード情報とＲＯＭ３２に記憶されているコード情報とを照合して、２つのコード情報が一致する場合には、セキュリティモードから通常の動作モードに遷移させるＣＰＵ３１とを備えた構成にしたので、他の機器３〜７の各々においては、操作内容をそのまま表示機器１に送信するだけでよく、操作内容をコード入力およびコード照合の情報に変換するプログラムをＲＯＭに持つ必要がないという効果がある。
【図面の簡単な説明】
【００３１】
【図１】この発明の実施の形態１における車載用機器のセキュリティシステムの構成を示すブロック図である。
【図２】バスによって接続された表示機器の内部構成およびオーディオ機器の内部構成を示す図である。
【図３】セキュリティモードにおける表示機器とオーディオ機器との間のコマンドおよびデータの送受信であるバス通信のシーケンスを示す図である。
【図４】オーディオ機器におけるＣＰＵの動作フローチャートである。
【図５】表示機器におけるＣＰＵの動作フローチャートである。
【図６】表示機器のＲＯＭに記憶された情報変換のテーブルを示す図である。
【符号の説明】
【００３２】
１  表示機器（特定の機器）、２  バス（通信回線）、３  オーディオ機器、４  ナビゲーション機器、５  エアコン機器、６  通信機器（他の機器）、７  映像機器、１０，３０  内部バス、１１  ＣＰＵ（情報識別手段、情報変換手段、表示制御手段）、１２  ＲＯＭ（書き換え可能な不揮発性の記憶手段）、１３，３３  ＲＡＭ、１４  表示部（表示手段）、１５，３５  通信Ｉ／Ｆ（受信手段、送信手段）、３６  ＣＤ駆動部、３７  ＭＤ駆動部、３８  チューナ部。
【図１】
2005149017.tif 000003
【図２】
2005149017.tif 000004
【図３】
2005149017.tif 000005
【図４】
2005149017.tif 000006
【図５】
2005149017.tif 000007
【図６】
2005149017.tif 000008